(57)【要約】【課題】本発明は、定期点検の簡略化を実現できる誘導灯装置を提供する。【解決手段】本実施形態は、電源接続端子４１，４１および点灯ユニット接続端子４２，４２の近傍に温度センサー７１を設け、さらに温度センサー７１で検出した情報を制御部２６で読み込み、基準値を超えると、スイッチ７２が開成状態となるように作用する。これにより、誘導灯装置１の外観点検時のみで電源端子台４の異常の有無の確認が行えることになり、点検作業者の負担を大幅に軽減することができる。【選択図】図２
2005093136.tif 000002
【特許請求の範囲】
【請求項１】
光源と；
非常時に光源へ電源を供給する蓄電池を有する蓄電池ユニットと；
常時には商用電源からの電源の供給により光源を点灯させる常用点灯回路と、常時に商用電源からの電源の供給により蓄電池ユニットを充電する充電回路と、非常時に蓄電池ユニットからの電源の供給により光源を点灯させる非常用点灯回路とを有する点灯ユニットと；
商用電源からの配線を接続する電源接続端子部と、商用電源からの電源を点灯ユニット等へ供給する配線を接続する点灯ユニット接続端子部とを有する電源端子台と；
電源端子台の電源接続端子部および点灯ユニット接続端子部の接続状態を検出する検出手段と；
検出手段の検出結果に基づいて、点灯ユニットからの出力を遮断する出力遮断手段と；
を具備することを特徴とする誘導灯装置。
【請求項２】
光源と；
非常時に光源へ電源を供給する蓄電池を有する蓄電池ユニットと；
常時には商用電源からの電源の供給により光源を点灯させる常用点灯回路と、常時に商用電源からの電源の供給により蓄電池ユニットを充電する充電回路と、非常時に蓄電池ユニットからの電源の供給により光源を点灯させる非常用点灯回路とを有する点灯ユニットと；
商用電源からの配線を接続する電源接続端子部と、商用電源からの電源を点灯ユニット等へ供給する配線を接続する点灯ユニット接続端子部とを有する電源端子台と；
電源端子台の電源接続端子部および点灯ユニット接続端子部の接続状態を検出する検出手段と；
検出手段の検出結果を報知ないし出力する検出結果出力手段と；
を具備することを特徴とする誘導灯装置。
【請求項３】
検出手段の検出結果に基づいて、点灯ユニットからの出力を遮断する出力遮断手段を具備することを特徴とする請求項２記載の誘導灯装置。
【請求項４】
検出手段の検出結果に基づいて、点灯ユニットからの出力を低減する出力調整手段を具備することを特徴とする請求項１ないし３いずれか一記載の誘導灯装置。
【請求項５】
検出手段の検出結果に基づいて、点灯ユニットからの出力を制御して光源を点滅させる点滅手段を具備することを特徴とする請求項１ないし３いずれか一記載の誘導灯装置。
【発明の詳細な説明】
【技術分野】
【０００１】
本発明は、光源を有する誘導灯装置に関する。
【背景技術】
【０００２】
従来、誘導灯装置は、常時に商用電源から光源へ電源が供給されることで光源が点灯し、さらに、常時は、商用電源からの電源が供給されることで蓄電池ユニットの充電が行われている。そして、商用電源からの電源が遮断された非常時には、蓄電池ユニットからの電源により光源が点灯するようになっている。
【０００３】
このように、誘導灯装置は、非常時において人を誘導できるよう確実に光源が点灯することが最も重要であるので、定期的に諸事項を点検することが義務付けられているものである。
【０００４】
この定期的に点検を行う事項としては、例えば蓄電池ユニットの電源供給によって所定時間（例えば２０分間）光源が点灯するかという点検（以下、「非常点灯点検」という。）、誘導灯装置の外観上不具合がないかという外観検査、或いは電源端子台の接続端子の接続不良がないかという接続端子点検等がある。
【０００５】
さらに近年、このような定期点検を簡略化できるよう自動的に点検を行う技術も知られている（例えば特許文献１、特許文献２参照）。
【０００６】
この特許文献１は、誘導灯装置自信にタイマ手段が内蔵されており、点検スイッチがＯＮされるとタイマ手段で自動的に所定時間非常点灯が行われるというものである。
【０００７】
一方、特許文献２には、誘導灯装置のような防災照明装置と、この防災照明装置の非常時および常時の動作の監視・制御を一括して行う制御システムからなり、この制御信号から自動点検信号を受けた場合にのみ防災照明装置側から制御装置へ自動点検結果を送信するというものである。
【特許文献１】特開平８−１８５９８７号公報
【特許文献２】特開平８−１８０９８０号公報
【発明の開示】
【発明が解決しようとする課題】
【０００８】
しかしながら、特許文献１、２記載の技術は、いずれも非常点灯点検を主として見出されている発明であって、外観検査および接続端子点検に関しては自動点検化を行えるものではなかった。
【０００９】
すなわち、外観検査に関しては、誘導灯装置が設置されている場所へ直接行かなくてはならず、また、接続端子点検に関しては、誘導灯装置の器具本体内に設けられている電源端子台の接続端子の緩み等を直接点検しなくてはならないので、これらの点検作業を簡略化することは困難であった。
【００１０】
また誘導灯装置は、出入り口の近郊または扉の上方等に設置されていることが多く、誘導灯装置を直接触り難いことがあり、誘導灯装置を直接触る接続端子点検は大変手間となり、点検作業の作業者の負担が大きい場合があった。
【００１１】
本発明は、このような点に鑑みなされたもので、定期点検の簡略化を実現できる誘導灯装置を提供することを目的とする。
【課題を解決するための手段】
【００１２】
請求項１記載の誘導灯装置は、光源と；非常時に光源へ電源を供給する蓄電池を有する蓄電池ユニットと；常時には商用電源からの電源の供給により光源を点灯させる常用点灯回路と、常時に商用電源からの電源の供給により蓄電池ユニットを充電する充電回路と、非常時に蓄電池ユニットからの電源の供給により光源を点灯させる非常用点灯回路とを有する点灯ユニットと；商用電源からの配線を接続する電源接続端子部と、商用電源からの電源を点灯ユニット等へ供給する配線を接続する点灯ユニット接続端子部とを有する電源端子台と；電源端子台の電源接続端子部および点灯ユニット接続端子部の接続状態を検出する検出手段と；検出手段の検出結果に基づいて、点灯ユニットからの出力を遮断する出力遮断手段と；具備することを特徴とする。
【００１３】
請求項１の誘導灯装置によれば、検出手段の検出結果に基づいて出力遮断手段が点灯ユニットからの出力を遮断することにより光源が点灯しなくなる。これにより、電源端子台の不具合に関しては、電源端子台を直接触らなくとも誘導灯装置の外観を見ることで分かりやすくなる。すなわち、定期点検時において、誘導灯装置の光源が点灯していない場合には誘導灯装置に直接触れて電源端子台を含めた各部材の検査・確認を行えばよいことになる。したがって、誘導灯装置の定期点検は、外観点検時のみで電源端子台の異常の有無の確認が行えることになり、点検作業者の負担を大幅に軽減することができる。
【００１４】
また、検出手段の検出結果に基づいて出力遮断手段が点灯ユニットからの出力を遮断することにより、電源端子台の異常による急激な温度上昇にともなう発火等の不具合も未然に防ぐことができる。
【００１５】
請求項２記載の誘導灯装置は、光源と；非常時に光源へ電源を供給する蓄電池を有する蓄電池ユニットと；常時には商用電源からの電源の供給により光源を点灯させる常用点灯回路と、常時に商用電源からの電源の供給により蓄電池ユニットを充電する充電回路と、非常時に蓄電池ユニットからの電源の供給により光源を点灯させる非常用点灯回路とを有する点灯ユニットと；商用電源からの配線を接続する電源接続端子部と、商用電源からの電源を点灯ユニット等へ供給する配線を接続する点灯ユニット接続端子部とを有する電源端子台と；電源端子台の電源接続端子部および点灯ユニット接続端子部の接続状態を検出する検出手段と；検出手段の検出結果を報知ないし出力する検出結果出力手段と；を具備することを特徴とする。
【００１６】
請求項２の誘導灯装置によれば、検出手段の検出結果に基づいて検出結果出力手段が検出結果を出力するので、定期点検時に接続端子点検のために誘導灯装置の電源端子台を直接触れる必要がなく、点検作業を簡略化および作業負担を大幅に軽減することができる。
【００１７】
請求項３記載の誘導灯装置は、請求項２記載の誘導灯装置において、検出手段の検出結果に基づいて、点灯ユニットからの出力を遮断する出力遮断手段を具備することを特徴とする。
【００１８】
請求項３の誘導灯装置によれば、検出手段の検出結果に基づいて出力遮断手段が点灯ユニットからの出力を遮断することにより、電源端子台の異常による急激な温度上昇にともなう発火等の不具合を未然に防ぐことができる。
【００１９】
請求項４記載の誘導灯装置は、請求項１ないし３いずれか一記載の誘導灯装置において、検出手段の検出結果に基づいて、点灯ユニットからの出力を低減する出力調整手段を具備することを特徴とする。
【００２０】
請求項４の誘導灯装置によれば、検出手段の検出結果に基づいて出力調整手段が点灯ユニットからの出力を低減することにより、光源が減光ないし消灯するので、電源端子台の不具合に関しては、電源端子台を直接触らなくとも誘導灯装置の外観を見ることで分かりやすくなる。すなわち、定期点検時において、誘導灯装置の光源が減光しているないし点灯していない場合には誘導灯装置に直接触れて電源端子台を含めた各部材の検査・確認を行えばよいことになる。したがって、誘導灯装置の定期点検は、外観点検時のみで電源端子台の異常の有無の確認が行えることになり、点検作業者の負担を大幅に軽減することができる。
【００２１】
なお、出力遮断手段とともに用いる場合には出力調整手段を優先させつつ、その後に出力遮断手段が作用するように設けることもできる。
【００２２】
請求項５記載の誘導灯装置は、請求項１ないし３いずれか一記載の誘導灯装置において、検出手段の検出結果に基づいて、点灯ユニットからの出力を制御して光源を点滅させる点滅手段を具備することを特徴とする。
【００２３】
請求項５の誘導灯装置によれば、検出手段の検出結果に基づいて点滅手段が点灯ユニットからの出力を制御し、光源を点滅させるので、電源端子台の不具合に関しては、電源端子台を直接触らなくとも誘導灯装置の外観を見ることで分かりやすくなる。すなわち、定期点検時において、誘導灯装置の光源が点滅している場合には誘導灯装置に直接触れて電源端子台を含めた各部材の検査・確認を行えばよいことになる。したがって、誘導灯装置の定期点検は、外観点検時のみで電源端子台の異常の有無の確認が行えることになり、点検作業者の負担を大幅に軽減することができる。
【００２４】
なお、出力遮断手段とともに用いる場合には出力調整手段を優先させつつ、その後に出力遮断手段が作用するように設けることもできる。
【発明の効果】
【００２５】
請求項１の誘導灯装置によれば、検出手段の検出結果に基づいて出力遮断手段が点灯ユニットからの出力を遮断することにより光源が点灯しなくなる。これにより、電源端子台の不具合に関しては、電源端子台を直接触らなくとも誘導灯装置の外観を見ることで分かりやすくなる。すなわち、定期点検時において、誘導灯装置の光源が点灯していない場合には誘導灯装置に直接触れて電源端子台を含めた各部材の検査・確認を行えばよいことになる。したがって、誘導灯装置の定期点検は、外観点検時のみで電源端子台の異常の有無の確認が行えることになり、点検作業者の負担を大幅に軽減することができる。
【００２６】
また、検出手段の検出結果に基づいて出力遮断手段が点灯ユニットからの出力を遮断することにより、電源端子台の異常による急激な温度上昇にともなう発火等の不具合も未然に防ぐことができる。
【００２７】
請求項２の誘導灯装置によれば、検出手段の検出結果に基づいて検出結果出力手段が検出結果を出力するので、定期点検時に接続端子点検のために誘導灯装置の電源端子台を直接触れる必要がなく、点検作業を簡略化および作業負担を大幅に軽減することができる。
【００２８】
請求項３の誘導灯装置によれば、検出手段の検出結果に基づいて出力遮断手段が点灯ユニットからの出力を遮断することにより、電源端子台の異常による急激な温度上昇にともなう発火等の不具合を未然に防ぐことができる。
【００２９】
請求項４の誘導灯装置によれば、検出手段の検出結果に基づいて出力調整手段が点灯ユニットからの出力を低減することにより、光源が減光ないし消灯するので、電源端子台の不具合に関しては、電源端子台を直接触らなくとも誘導灯装置の外観を見ることで分かりやすくなる。すなわち、定期点検時において、誘導灯装置の光源が減光しているないし点灯していない場合には誘導灯装置に直接触れて電源端子台を含めた各部材の検査・確認を行えばよいことになる。したがって、誘導灯装置の定期点検は、外観点検時のみで電源端子台の異常の有無の確認が行えることになり、点検作業者の負担を大幅に軽減することができる。
【００３０】
請求項５の誘導灯装置によれば、検出手段の検出結果に基づいて点滅手段が点灯ユニットからの出力を制御し、光源を点滅させるので、電源端子台の不具合に関しては、電源端子台を直接触らなくとも誘導灯装置の外観を見ることで分かりやすくなる。すなわち、定期点検時において、誘導灯装置の光源が点滅している場合には誘導灯装置に直接触れて電源端子台を含めた各部材の検査・確認を行えばよいことになる。したがって、誘導灯装置の定期点検は、外観点検時のみで電源端子台の異常の有無の確認が行えることになり、点検作業者の負担を大幅に軽減することができる。
【発明を実施するための最良の形態】
【００３１】
以下、本発明の第一実施形態を図面を参照して説明する。
【００３２】
図１は、本実施形態の誘導灯装置の分解斜視図であり、図２は本実施形態の回路構成の概略を示す回路構成図である。
【００３３】
誘導灯装置１は、樹脂製の器具本体である筐体１０内に電気部品収納部１１を形成し、この電気部品収納部１１に常用点灯回路２１、充電回路２２、非常用点灯回路２３、出力遮断手段である制御部２６等が収納されている点灯ユニット２０、その下部に蓄電池３１からなる蓄電池ユニット３０が設けられている。
【００３４】
また、電気部品収納部１１内であって、点灯ユニット２０の上部側には電源端子台４が設けられている。
【００３５】
また、筐体１０の開口部にはその開口部を閉塞する大きさの表示手段１２が設けられ、この表示手段１２には表示パネル１３、さらにこの表示パネル１３には誘導表示であるピクトグラムが表示されている。そして、表示手段１２の上部には光源１４が設けられている。
【００３６】
次に、図２を参照して誘導灯装置１の回路構成について説明する。
【００３７】
誘導灯装置１は、まず、商用電源からの配線５、５が接続する電源接続端子４１、４１を有する電源端子台４が設けられている。そして、この電源端子台４の点灯ユニット接続端子４２、４２からは商用電源の電源を点灯ユニット２０へ供給するための配線６，６が導出されている。
【００３８】
電源端子台４から点灯ユニット２０へ導出された配線６，６は、点灯ユニット２０の電源回路２５へ接続されている。この電源回路２５は、常用点灯回路２１、充電回路２２および非常用点灯回路２３で構成されている。また、この電源回路２５には蓄電池ユニット３０が接続されている。
【００３９】
そして電源回路２５は、制御部およびスイッチ７２，７２を介してインバータ２８へと接続され、制御部２６にはメモリ２７が、インバータ２８には光源１４が各々接続されている。
【００４０】
さらに、電源端子台４には検出手段であるサーミスタからなる温度センサー７１が設けられているとともに、この温度センサー７１は制御部２６へ接続されている。
【００４１】
次に、各回路構成部材の構成および動作について説明する。
【００４２】
電源端子台４は、商用電源からの電源を点灯ユニット２０へ供給するための中継端子であって、商用電源側からの配線５と点灯ユニット２０側への配線６とが各々接続される電源接続端子４１，４１、点灯ユニット接続端子４２，４２が設けられている。なお、これらの接続端子４１，４１，４２，４２は、ねじ端子ないし速結端子等如何なる構成であってもよい。
【００４３】
また電源端子台４は、検出手段である温度センサー７１が設けられている。この温度センサー７１は、各端子４１，４１，４２，４２の近傍に位置するように設けられるものであって、各端子４１，４１、４２、４２の近傍の温度を検出できるように設けられている。なお温度センサー７１は、複数個設けられていてもよく、また、各端子４１，４１，４２，４２の温度変化を検出することができれば如何なる構成であってもよい。
【００４４】
電源回路２５は、常時においては、常用点灯回路２１によりインバータ２８へ商用電源からの電源が供給されるように構成されている。さらに、常時においては、充電回路２２によって蓄電池ユニット３０の蓄電池３１へ充電が行われるように構成されており、非常用点灯回路２３は動作しないようになっているものである。一方、非常時においては、蓄電池ユニット３０からの電源がインバータ２８へ供給されるように非常用点灯回路２３が動作し、常用点灯回路２１および充電回路２２は動作しないようになっているものである。
【００４５】
インバータ２８は、常時であれば電源回路２５の常用点灯回路２１からの電源、非常時であれば非常用点灯回路２３からの電源を高周波電力に変換し光源１４を点灯させるものである。
【００４６】
蓄電池ユニット３０は、非常時に電源回路２５へ非常用電源を供給する蓄電池３１を有するもので、常時は電源回路２５から適宜充電をされるものである。
【００４７】
制御部２６は、制御プログラム等が格納されているマイコンを有するものであり、非常時には非常用点灯回路２３が動作するように電源回路２５を制御するものである。
【００４８】
また制御部２６は、温度センサー７１が接続されており、温度センサー７１で検出した温度を常にまたは定期的に読み込むようになっている。さらに、この読み込まれた温度センサー７１の情報とメモリー２７に予め記憶されている基準値とを比較するようにもなっている。そして、比較された結果、温度センサー７１からの情報が基準値を上回った場合には、インバータ２８への電源が遮断されるようにスイッチ７２が開成状態となるように作用する出力遮断手段としても機能するものである。
【００４９】
本実施形態は、電源接続端子４１，４１および点灯ユニット接続端子４２，４２の近傍に温度センサー７１を設けたことを特徴としている。これは、各端子４１，４１，４２，４２と配線５，５，６，６との緩み等による接触不良が生じると接触部分が接触抵抗の増大によって発熱することを利用したものである。すなわち、電源端子台４における不具合は各端子４１，４１，４２，４２と配線５，５，６，６との接触不良により生じるので、この接触不良を温度センサー７１によって検出することを実現したものである。
【００５０】
またさらに、温度センサー７１で検出した情報を制御部２６で読み込むとともにメモリ２７の基準値と比較し、基準値を超えると、スイッチ７２が開成状態となるように作用するので、光源１４が消灯する。これにより、電源端子台４の接触不良に関しては、電源端子台４を直接触らなくとも誘導灯装置１の外観を見ることで分かりやすくなる。すなわち、定期点検時において、誘導灯装置１の光源１４が点灯していない場合には誘導灯装置１に直接触れて電源端子台４を含めた各部材の検査・確認を行えばよいことになる。したがって、誘導灯装置１の定期点検は、外観点検時のみで電源端子台４の異常の有無の確認が行えることになり、点検作業者の負担を大幅に軽減することができる。
【００５１】
また、温度センサー７１の検出結果に基づいてスイッチ７２を開成するので、電源端子台４の接触不良による急激な温度変化に伴う発火等の不具合を未然に防ぐことができる。
【００５２】
なお本実施形態においては、サーミスタからなる温度センサー７１を用いたが、この温度センサー７１はサーモスタットを用いてもよい。このサーモスタットからなる温度センサーを用いた場合には、制御部２６で温度センサーの情報を読み込みするような複雑な動作ではなく、温度センサー自体で商用電源からの電源をＯＮ／ＯＦＦするように構成することもできる。この場合にも上記実施形態と同等の作用効果を奉する。
【００５３】
また制御部２６は、温度センサー７１で検出した情報をメモリ２７の基準値と比較して基準値を超えた際に、スイッチ７２を開成状態としなくともインバータ２８の出力を調整して光源１４を減光ないし点灯するように制御することもできる。この場合にも上記と同等の作用効果を奉する。
【００５４】
次に第二実施形態について図面を参照して説明する。図３は本実施形態の回路構成の概略を示す回路構成図であり、第一実施形態と同一構成については同一番号を付し、その説明は省略する。  
【００５５】
本実施形態において第一実施形態と異なる構成は、制御部２６に検出結果出力手段２９が設けられていることである。
【００５６】
この検出結果出力手段２９は、通信モジュールであって、制御部２６から検出結果出力手段２９を介して、温度センサー７１の検出情報ないしメモリ２７の基準値との比較結果を外部へ出力することができるようになっている。
【００５７】
本実施形態によれば、温度センサー７１の検出結果ないしメモリ２７の基準値との比較結果を検出結果出力手段２９が出力することができることにより、例えば、誘導灯装置１の外部に設けられている監視装置（図示しない）に本情報が入力され、この監視装置が異常を報知することで容易に電源端子台４の接触不良等の不具合を知ることができるので、定期点検時に接続端子点検のための作業を行う必要がなく、点検作業を簡略化および作業者の作業負担を大幅に軽減することができる。
【００５８】
また、本実施形態においても、温度センサー７１の検出結果に基づいてスイッチ７２を開成するので、電源端子台４の接触不良による急激な温度変化に伴う発火等の不具合を未然に防ぐことができる。
【００５９】
なお、本実施形態の検出結果出力手段２９は、単なる報知手段であってもよい。この場合には誘導灯装置１の外部から目視できるように報知ユニットが設けられ、例えばＬＥＤ表示によって電源端子台４の接触不良を外部へ報知することができる。この実施形態によっても第二実施形態と略同様の作用効果を奉する。
【００６０】
また制御部２６は、実施形態１と同様に、温度センサー７１で検出した情報をメモリ２７の基準値と比較して基準値を超えた際に、スイッチ７２を開成状態としなくともインバータ２８の出力を調整して光源１４を減光ないし点灯するように制御することもできる。
【図面の簡単な説明】
【００６１】
【図１】第一実施形態の誘導灯装置を示す分解斜視図
【図２】同上誘導灯装置の回路構成の概略を示す回路構成図
【図３】第二実施形態の誘導灯装置の回路構成を概略を示す回路構成図
【符号の説明】
【００６２】
１・・・誘導灯装置、１４・・・光源、３０・・・蓄電池ユニット、２０・・・点灯ユニット、７１・・・検出手段である温度センサー、２６・・・電源遮断手段である制御部、２９・・・検出結果出力手段
【図１】
2005093136.tif 000003
【図２】
2005093136.tif 000004
【図３】
2005093136.tif 000005